(57)【要約】【課題】カードの長さが同一で接触パッド群の配置が近い２種類のＩＣカード１００、２００を、同一面、同一方向接触で共用のカード挿入スロット１９に挿入でき、カードの裏面を傷つけることなく使い勝手のよいＩＣカード用コネクタを提供すること。【解決手段】ハウジング１にカバー５を被嵌して共用のカード挿入スロット１９を形成したＩＣカード用コネクタにおいて、カード挿入スロット１９内にスライダ７を配設し、スライダ７がＩＣカード１００の先端部と第１の係合部７６で係合し、ＩＣカード２００の先端部とは第１の係合部７６よりカード挿入口側に位置する第２の係合部７７で係合するカード受け体７２を具備し、第１の端子群２〜２の固定部２１〜２１をハウジング１のカード挿入奥側に固定し、第２の端子群３〜３の固定部３１〜３１をハウジング１のカード挿入口側に固定する。【選択図】図４
2008270109.tif 000002
【特許請求の範囲】
【請求項１】
ハウジング（１）にカード挿入スロット（１９）を形成し、このカード挿入スロット（１９）を長さが略同一で接触パッド群の配置が近い第１と第２のＩＣカード（１００）、（２００）の挿入を可能とする共用のカード挿入スロットとし、カード挿入スロット（１９）内に択一的挿入される第１と第２のＩＣカード（１００）、（２００）の接触パッド群をハウジング（１）に固定された第１と第２の端子群（２〜２）、（３〜３）のうちの対応する端子群の接触部と弾性接触させるＩＣカード用コネクタであって、カード挿入スロット（１９）内に第１と第２のＩＣカード（１００）、（２００）の挿入方向に沿って摺動可能なスライダ（７、７ａ、７ｂ、７ｃ）を配設し、スライダ（７、７ａ、７ｂ、７ｃ）は、挿入される第１のＩＣカード（１００）の先端部とは第１の係合部（７６）で係合し、挿入される第２のＩＣカード（２００）の先端部とは第１の係合部（７６）よりカード挿入口側に位置する第２の係合部（７７）で係合するカード受け体（７２、７２ａ、７２ｂ、７２ｃ）を具備し、第１の端子群（２〜２）の固定部（２１〜２１）をハウジング（１）のカード挿入奥側に固定し、第２の端子群（３〜３）の固定部（３１〜３１）をハウジング（１）のカード挿入口側に固定したことを特徴とするＩＣカード用コネクタ。
【請求項２】
カード受け体（７２、７２ａ、７２ｂ、７２ｃ）には、第１のＩＣカード（１００）をカード挿入スロット（１９）へ挿入したときに、第１の端子群（２〜２）の接触部側の先端部をカード挿入スロット（１９）内のＩＣカード（１００）の挿入領域外へ押し出す端子押し出し部（８１）が形成されていることを特徴とする請求項１記載のＩＣカード用コネクタ。
【請求項３】
カード受け体（７２、７２ａ、７２ｂ、７２ｃ）には、第２のＩＣカード（２００）のカード挿入スロット（１９）への挿入完了時に第１の端子群（２〜２）の接触部（２２〜２２）を遊嵌する逃げ孔（８３〜８３）が形成されていることを特徴とする請求項１又は２記載のＩＣカード用コネクタ。
【請求項４】
カード受け体（７２、７２ａ、７２ｂ、７２ｃ）には、第２のＩＣカード（２００）のカード挿入スロット（１９）への挿入完了時に第１の端子群（２〜２）の接触部（２２〜２２）を遊嵌する切欠き（８５〜８５）が形成されていることを特徴とする請求項１又は２記載のＩＣカード用コネクタ。
【請求項５】
第１と第２のＩＣカード（１００）、（２００）は、幅と厚さの重合部分を共有し、異なる部分を幅方向と厚さ方向に延長して形成され、カード挿入スロット（１９）への挿入時において、重合部分の幅方向の移動がハウジング（１）の両側板によって規制され、厚さ方向の移動がハウジング（１）の天板と第１と第２の端子群（２〜２）、（３〜３）の接触部（２２〜２２）、（３２〜３２）とによって規制されていることを特徴とする請求項１、２、３又は４記載のＩＣカード用コネクタ。
【請求項６】
第１と第２のＩＣカード（１００）、（２００）のプッシュ・イン、プッシュ・アウトの挿抜動作に連動してスライダ（７、７ａ、７ｂ、７ｃ）を摺動動作させ、スライダ（７、７ａ、７ｂ、７ｃ）のプッシュ・インのときにロックし、プッシュ・アウトのときにロックを解除するロック機構を具備していることを特徴とする請求項１、２、３、４又５記載のＩＣカード用コネクタ。
【請求項７】
スライダ（７、７ａ、７ｂ）は、カード挿入スロット（１９）の片側でハウジング（１）と摺動可能に係合する摺動係合体（７１）を具備し、カード受け体（７２、７２ａ、７２ｂ）は、摺動係合体（７１）からカード挿入スロット（１９）を横断する方向へ突出する突出体であること特徴とする請求項１、２、３、４、５又は６記載のＩＣカード用コネクタ。
【請求項８】
カード受け体（７２、７２ａ、７２ｂ）には、ＩＣカード（１００）の先端部がカード受け体（７２、７２ａ、７２ｂ）と係合したときにＩＣカード（１００）の先端部とカード受け体（７２、７２ａ、７２ｂ）の先端部の間に隙間を形成する傾斜部（７８）が形成されていること特徴とする請求項７記載のＩＣカード用コネクタ。  
【請求項９】
スライダ（７ｃ）は、カード挿入スロット（１９）の両側でハウジング（１）と摺動可能に係合する摺動係合体（７１ｃ）（７１ｃ）を具備し、カード受け体（７２ｃ）は、摺動係合体（７１ｃ）（７１ｃ）間を連結してカード挿入スロット（１９）を横断する連結体であること特徴とする請求項１、２、３、４、５又は６記載のＩＣカード用コネクタ。
【発明の詳細な説明】
【技術分野】
【０００１】
本発明は、携帯電話機、パーソナルコンピュータ等の小型電子機器に用いられるＩＣカードに使用されるＩＣカード用コネクタに関し、２種類のＩＣカードの挿入を可能とする共用のカード挿入スロットがハウジングとカバーによって形成され、カード挿入スロット内に択一的に挿入される２種類のＩＣカードの接触パッド群をハウジングに固定された２種類の端子群のうちの対応する端子郡の接触部と弾性接触させるＩＣカード用コネクタに関するものである。
【背景技術】
【０００２】
この種のＩＣカード用コネクタには、例えば従来例１（特許文献１参照）や従来例２（特許文献２参照）が知られている。
従来例では、ハウジングにカバーを被嵌して共用のカード挿入スロットを形成し、ハウジングに配設された４種類の端子群を具備し、４種類の端子群は、その接触部がカード挿入スロットのカード挿入方向に沿って異なる位置に配置され、長さの異なる４種類のＩＣカードのうちから選択した１種類のＩＣカードをカード挿入スロットに挿入したときに、その接触パッド群の接触部を４種類の端子群のうちの対応する端子群の接触部と弾性接触させるようにしていた。
従来例２では、ハウジングにカバーを被嵌して共用のカード挿入スロットを形成し、２種類のＩＣカード用の端子群の固定部をハウジングのカード挿入奥側に固定し、カードの長さと接触パッド群が同一で厚さの異なる２種類のＩＣカードの一方を選択してカード挿入スロットに挿入したときに、その接触パッド群の接触部を端子群の接触部と弾性接触させていた。
【特許文献１】実用新案登録第３１１５８１３号公報
【特許文献２】特開２００３−３１７８６１号公報
【発明の開示】
【発明が解決しようとする課題】
【０００３】
しかしながら、従来例１は、カードの長さ、接触パッド群の配置が異なる複数種類のＩＣカードを、その接触パッド群を同一面、同一方向で対応する端子群の接触部と弾性接触させることができるが、カードの長さが同一で、接触パッド群の配置が近い２種類のＩＣカードには利用できないという問題点があった。
また、従来例２は、カードの長さと接触パッド群が同一の２種類のＩＣカードを、その接触パッド群を同一面、同一方向で対応する端子群の接触部と弾性接触させることはできるが、カードの長さが同一で、接触パッド群の配置が近い２種類のＩＣカードには利用できないという問題点があった。
例えば、図１３及び図１４に示すように、カードの長さＬ１、Ｌ２が略同一で、接触パッド１０１〜１０１、２０１〜２０１の配置が近い第１と第２のＩＣカード１００、２００には利用できないという問題点があった。
第１のＩＣカード１００は、図１３に示すように、幅がＷ１（例えば１１ｍｍ）で厚さがＴ１（例えば０．７ｍｍ）に形成され、第２のＩＣカード２００は、図１４に示すように、幅がＷ２１（例えば１２．５ｍｍ）で厚さＴ２１（例えば０．６ｍｍ）の下段部と、幅がＷ２２（例えば１１ｍｍ）で、厚さがＴ２２（例えば０．６ｍｍ）の上段部を二段重ね合わせて一体とした形状に形成されている。
【０００４】
また、カードの長さが略同一で、接触パッド群の配置が近い２種類のＩＣカード（例えばＩＣカード１００、２００）を利用可能とするＩＣカード用コネクタとして、（イ）２種類のＩＣカードを挿入するスロットを別スロットとして上下二段又は並列に設ける方法、（ロ）２種類のＩＣカードを挿入するスロットを共用として、２種類のＩＣカードを表裏逆に挿入する方法、（ハ）２種類のＩＣカードを挿入するスロットを共用として、２種類のＩＣカードの挿入方向を前後逆にする方法が考えられるが、（イ）の方法はコネクタ高さが高くなるか又はコネクタの基板占有面積が大きくなるという問題点があり、（ロ）の方法は、２種類のＩＣカードに対応した端子群をカード挿入スロットの上下に配置する必要があるので、コネクタの高さが高くなると共に、端子群の接触部でＩＣカードの裏面に傷を付け易いという問題点があり、（ハ）の方法は、２種類のＩＣカードのうちの一方のカードを本来の挿入方向と逆にしてカード挿入スロットに挿入する必要があるので、使い勝手が悪いとともに使い方に間違いが生じ易いという問題点がある。
【０００５】
本発明は上述の問題点に鑑みなされたもので、カードの長さが略同一で接触パッド群の配置が近い２種類のＩＣカードを挿入するスロットを共用としてコネクタ高さを低くできるとともに、コネクタの基板占有面積を小さくでき、しかもＩＣカードの裏面に傷をつけることがないとともに、使い勝手の良いＩＣカード用コネクタを提供することを目的とするものである。    
【課題を解決するための手段】
【０００６】
請求項１記載の発明は、ハウジングにカード挿入スロットを形成し、このカード挿入スロットを長さが略同一で、接触パッド群の配置が近い第１と第２のＩＣカードの挿入を可能とする共用のカード挿入スロットとし、前記カード挿入スロット内に択一的に挿入される前記第１と第２のＩＣカードの接触パッド群を前記ハウジングに固定された第１と第２の端子群のうちの対応する端子群の接触部と弾性接触させるＩＣカード用コネクタであって、前記カード挿入スロット内に前記第１と第２のＩＣカードの挿入方向に沿って摺動可能なスライダを配設し、前記スライダは、挿入される前記第１のＩＣカードの先端部とは第１の係合部で係合し、挿入される前記第２のＩＣカードとは前記第１の係合部よりカード挿入口側に位置する第２の係合部で係合するカード受け体を具備し、前記第１の端子群の固定部を前記ハウジングのカード挿入奥側に固定し、前記第２の端子群の固定部を前記ハウジングのカード挿入口側に固定したことを特徴とする。
【０００７】
請求項２記載の発明は、請求項１記載の発明において、カード受け体には、第１のＩＣカードをカード挿入スロットへ挿入したときに、第１の端子群の接触部側の先端部を前記カード挿入スロット内の前記第１のＩＣカードの挿入領域外へ押し出す端子押し出し部が形成されていることを特徴とする。
【０００８】
請求項３記載の発明は、請求項１又は２記載の発明において、カード受け体には、第２のＩＣカードのカード挿入スロットへ挿入完了時において、第１の端子群の接触部を遊嵌する逃げ孔が形成されていることを特徴とする
【０００９】
請求項４記載の発明は、請求項１又は２記載の発明において、カード受け体には、第２のＩＣカードのカード挿入スロットへの挿入完了時に第１の端子群の接触部を遊嵌する切欠きが形成されていることを特徴とする。
【００１０】
請求項５記載の発明は、請求項１、２、３又は４記載の発明において、第１と第２のＩＣカードは、幅と厚さの重合部分を共有し、異なる部分を幅方向と厚さ方向に延長して形成され、カード挿入スロットへの挿入時において、重合部分の幅方向の移動がハウジングの両側板によって規制され、厚さ方向の移動が前記ハウジングの天板と第１と第２の端子群の接触部とによって規制されていることを特徴とする。
【００１１】
請求項６記載の発明は、請求項１、２、３、４又５記載の発明において、第１と第２のＩＣカードのプッシュ・イン、プッシュ・アウトの挿抜動作に連動してスライダを摺動動作させ、前記スライダのプッシュ・インのときにロックし、プッシュ・アウトのときにロックを解除するロック機構を具備していることを特徴とする。
【００１２】
請求項７記載の発明は、請求項１、２、３、４、５又６記載の発明において、スライダは、カード挿入スロットの片側でハウジングと摺動可能に係合する摺動係合体を具備し、カード受け体は前記摺動係合体から前記カード挿入スロットを横断する方向へ突出する突出体であることを特徴とする。
【００１３】
請求項８記載の発明は、請求項７の記載の発明において、カード受け体には、第１のＩＣカードの先端部が前記カード受け体と係合したときに、前記第１のＩＣカードの先端部と前記カード受け体の先端部の間に隙間を形成する傾斜部が形成されていることを特徴とする。
【００１４】
請求項９記載の発明は、請求項１、２、３、４、５又６記載の発明において、スライダは、カード挿入スロットの両側でハウジングと摺動可能に係合する摺動係合体を具備し、カード受け体は、前記両側の摺動係合体を連結してカード挿入スロットを横断する連結体であることを特徴とする。
【発明の効果】
【００１５】
請求項１記載の発明は、ハウジングに第１と第２のＩＣカードに共用のカード挿入スロットを形成し、第１と第２のＩＣカードの接触パッド群をハウジングに固定された対応する端子群の接触部と弾性接触させるＩＣカード用コネクタにおいて、カード挿入スロット内にスライダを設け、スライダが第１と第２の係合部を有するカード受け体を具備して摺動方向に沿った異なる位置で第１と第２のＩＣカードと係合し、第１の端子群の固定部をハウジングのカード挿入奥側に固定し、第２の端子群の固定部をハウジングのカード挿入口側に固定したので、つぎのような効果を奏することができる。
（１）第１と第２のＩＣカードを同一面、同一方向接触として共用のカード挿入スロット内に挿入することができる。このため、端子群の接触部でＩＣカードの裏面に傷を付けることがなく、第１と第２のＩＣカードの一方を前後逆にしてカード挿入スロットに挿入する必要がなく使い勝手がよいとともに、コネクタ高さを低くでき、コネクタの基板占有面積を小さくすることができる。
（２）第１と第２の端子群の固定部をハウジングのカード挿入奥側とカード挿入口側に固定したので、第１と第２の端子群の接触部の位置をより近く設置することができ、第１と第２のＩＣカードのカード挿入スロットへの挿入深さの差を小さくすることができる。
【００１６】
請求項２記載の発明は、請求項１記載の発明において、カード受け体に端子押し出し部を形成し、第１のＩＣカードをカード挿入スロットに挿入したときに第１の端子群の接触部側の先端部をカード挿入スロット内の第１のＩＣカードの挿入領域外に押し出すようにしたので、第１の端子群の座屈を防止することができる。
【００１７】
請求項３記載の発明は、請求項１又は２記載の発明において、カード受け体に逃げ孔を形成して第２のＩＣカードのカード挿入スロットへの挿入完了時に第１の端子群の接触部を遊嵌するようにしたので、カード受け体が第１の端子群から受ける押圧力を弱めることができるとともに、第１の端子群の接触部の変位量を小さくして「へたり」を防止することができる。
【００１８】
請求項４記載の発明は、請求項１又は２記載の発明において、カード受け体に切欠きを形成して第２のＩＣカードのカード挿入スロットへの挿入完了時に第１の端子群の接触部を遊嵌するようにしたので、カード受け体が第１の端子群から受ける押圧力を弱めることができるとともに、第１の端子群の接触部の変位量を小さくして「へたり」を防止することができる。
【００１９】
請求項５記載の発明は、請求項１、２、３又は４記載の発明において、第１と第２のＩＣカードが幅と厚さの重合部分を共有し、異なる部分を幅方向と厚さ方向に延長して形成され、第１と第２のＩＣカードのカード挿入スロットへの挿入時において、重合部分の幅方向移動がハウジングの両側板によって規制され、厚さ方向の移動がハウジングの天板と第１と第２の端子群の接触部とによって規制されているので、第１と第２のＩＣカードの重合部分を幅方向の案内に利用し、第１と第２のＩＣカードの厚さ方向の相違を端子郡の接触部の変位量で吸収することができ、第１と第２のＩＣカードをカード挿入スロット内の所定位置へ正確に案内することができると共に、そのための構造を簡単にすることができる。
【００２０】
請求項６記載の発明は、請求項１、２、３、４又は５記載の発明において、第１と第２のＩＣカードのプッシュ・イン、プッシュ・アウトの挿抜動作に連動してスライダを摺動動作させ、スライダのプッシュ・インのときにロックし、プッシュ・アウトのときにロックを解除するロック機構を具備しているので、ＩＣカードの挿抜動作を容易且つ安定して行うことができると共に、プッシュ・イン、プッシュ・アウトのロック機構を第１と第２のＩＣカードに共有化して全体形状の小型化を図ることができる。。
【００２１】
請求項７記載の発明は、請求項１、２、３、４、５又は６記載の発明において、スライダが摺動係合体を具備し、カード受け体が摺動係合体からカード挿入スロットを横断する方向へ突出する突出体としたので、スライダの構成を簡単にすることができる。
【００２２】
請求項８記載の発明は、請求項７記載の発明において、カード受け体に傾斜部を形成して、第１のＩＣカードの先端部がカード受け体と係合したときに第１のＩＣカードの先端部とカード受け体の先端部の間に隙間を形成するようにしたので、第１のＩＣカードによるカード受け体への押圧力を強度のあるカード受け体の根元（摺動係合体との連結付近）に集中させることができ、カード受け体の板厚や奥行長（カード挿入方向の長さ）を小さくして小型化、薄型化を図ることができる。
【００２３】
請求項９記載の発明は、請求項１、２、３、４、５又は６記載の発明において、スライダがカード挿入スロットの両側でハウジングと摺動可能に係合する摺動係合体を具備し、カード受け体が両側の摺動係合体間を連結してカード挿入スロットを横断する連結体としたので、カード受け体の強度を向上させることができる。
【実施例】
【００２４】
図１〜図７は本発明によるＩＣカード用コネクタの一実施例を示すもので、これらの図において、１はハウジング（例えば絶縁ハウジング）、２〜２は第１の端子群、３〜３は第２の端子群、４は検出用の端子、５はカバー（例えばシールドカバー）、７はスライダ、９はロック機構、１９はカード挿入スロットを表わす。
９１は横長逆Ｕ字状のロックピン、９２はコイルばねを表わし、ロックピン９１とコイルばね９２はロック機構９の構成要素である。
また、１００は図１３に示した第１のＩＣカードを表わし、２００は図１４に示した第２のＩＣカードを表わす。
カード挿入スロット１９は、カバー５をハウジング１に被嵌することによって形成され、図１（ａ）及び図２（ｂ）では下側をカード挿入口としている。
【００２５】
第１のＩＣカード１００は、図１３の（ａ）〜（ｃ）に示すように、長さがＬ１，幅がＷ１，厚さがＴ１に形成され、第２のＩＣカード２００は、図１４の（ａ）〜（ｃ）に示すように、長さがＬ２、幅がＷ２１、厚さがＴ２１の下段部と、長さがＬ２、幅がＷ２２、厚さがＴ２２の上段部とを二段重ね合わせて一体とした形状に形成され、第１と第２のＩＣカード１００、２００は長さが同一（Ｌ１＝Ｌ２）で、接触パッド群１０１〜１０１、２０１〜２０１が近接した位置に配置され、第２のＩＣカード２００は、幅と厚さの一部が第１のＩＣカード１００と重なり合い（Ｗ１＝Ｗ２２、Ｔ２１＜Ｔ１＜Ｔ２＝Ｔ２１＋Ｔ２２）、第１のＩＣカード１００と異なる部分が両幅方向と厚さ方向に延長した形状に形成されている。
図１３及び図１４において、例えばＬ１、Ｗ１，Ｔ１は１５ｍｍ、１１ｍｍ、０．７ｍｍに形成され、Ｌ２、Ｗ２１、Ｗ２２、Ｔ２１、Ｔ２２は１５ｍｍ、１２．５ｍｍ、１１ｍｍ、０．６ｍｍ、０．６ｍｍに形成され、カード挿入スロット１９のカード挿入口は、第１と第２のＩＣカード１００、２００の幅と厚さの重合部分を共有し、異なる部分を両幅方向と厚さ方向に延長して形成されている。
【００２６】
ハウジング１は、絶縁性合成樹脂等で成形され、図４及び図５にも示すように、平面視で略逆Ｌ字状に形成された肉厚の第１本体１１と、平面視で略Ｌ字状に形成された肉薄の第２本体１２とを連結した略枠状に形成されている。
第１本体１１は、カード挿入方向と平行な幅広の側壁とカード挿入方向と垂直な幅狭の側壁とを具備し、幅広の側壁には、上面を開口してカード挿入方向に長い案内凹部１３とばね収容部１５とが形成され、案内凹部１３のカード挿入口側の側壁には、上面を開口してロックピン９１の一側端を係合するための係合凹部１６が形成され、ばね収容部１５のカード挿入奥側の側壁には、コイルばね９２を係合するためのばね係合突起１７が突設されている。
第１本体１１の幅広な側壁と幅狭な側壁の外壁面には、カバー５を係止するための係止突起１８  〜１８が突設されている。
第２本体１２のカード挿入方向と平行な幅狭の側壁の外壁面には、カバー５を係止するための係止突起１８  〜１８が突設されている。
【００２７】
第１と第２の端子群２〜２、３〜３及び検出用端子４は、薄い導電性金属板の打ち抜き、折り曲げ等で形成され、ハウジング１の成形時にインサート成形によってハウジング１に組み込まれている。
第１の端子群２〜２は、その固定部２１〜２１が第１本体１１の幅狭な側壁に固定され、その接触部２２〜２２がカード挿入スロット１９内に臨み、その接続部２３〜２３が外側へ突出している。
第２の端子群３〜３は、その固定部３１〜３１が第２本体１２のカード挿入方向と垂直な側壁に固定され、その接触部３２〜３２がカード挿入スロット１９内に臨み、接続部３３〜３３が外側へ突出している。
検出用端子４は、その固定部４１が第２本体１２の幅広な側壁に固定され、その接触部４２側がカード挿入スロット１９内のうちの第２のＩＣカード２００のみが通過する領域に臨み、その接続部４３が外側へ突出している。
第１と第２の端子群２〜２、３〜３は、そのたわみ量によって第１と第２のＩＣカード１００、２００の厚さの差による嵌合のクリアランスを吸収している。例えば、端子幅について第１の端子２を第２の端子３より幅広とし、スパンについて図２（ｂ）に示すように第１の端子２を第２の端子３より長くするなどして、第１の端子２のばね定数を第２の端子３より小さくすることにより、第１と第２のＩＣカード１００、２００の厚さの差（Ｔ２−Ｔ１）による嵌合のクリアランスを吸収している。
【００２８】
カバー５は、薄い導電性金属板の打ち抜き、折り曲げ等で形成され、図４及び図６にも示すように、略矩形板状の天板５１と、この天板５１の左側辺部から略垂直に下側へ折り曲げたのち外側へ略垂直に折り曲げ、ついで略垂直に下側へ折り曲げて形成された上部左側板５２と下部左側板５３と、天板５１の右側辺部から略垂直に下側へ折り曲げて形成された右側板５５と、天板５１の奥側辺部から略垂直に下側へ折り曲げて形成された奥側板５６とで形成されている。
【００２９】
天板５１には、スライダ７を下方向へ付勢しつつスライダ７の摺動を案内するための案内ばね片５７、５７が打ち抜き、押し出し等で形成されている。
天板５１には、切り起こしによってカード挿入スロット１９内へ下向きに突出する案内片５８が形成され、この案内片５８は、カード挿入スロット１９内に挿入された第１のＩＣカード１００の右側面と第２のＩＣカード２００の上部右側面に当接して右側への移動を規制している。
天板５１には、切り起こしによってカード挿入スロット１９内へ下向きに突出する舌片状のばね片５９が形成され、このばね片５９は、ロックピン９１の水平部を下方へ付勢してロックピン９１の外れを防止している。
下部左側板５３、右側板５５及び奥側板５６には、ハウジング１の係止突起１８  〜１８に係止する係止孔６１〜６１〜６１が形成されている。
【００３０】
スライダ７は、絶縁性合成樹脂等で成形され、図４及び図７に示すように略横長の逆Ｌ字状に形成され、ハウジング１の案内凹部１３内に摺動可能に係合する摺動係合体７１と、この摺動係合体７１に連接されたカード受け体７２とで形成されている。
【００３１】
摺動係合体７１の上面には、ハートカム７３の周りに位置するガイド溝７４が形成され、このガイド溝７４は、図７（ｄ）に示すような横断面を有し、ロックピン９１の一側端をハートカム７３の周りをＡ点からＢ、Ｃ、Ｄ点を経てＡ点に戻る反時計回り方向にのみ周回可能に案内するものである。
摺動係合体７１には、カード挿入口側で右側へ突出する突出部が形成され、この突出部のカード挿入奥側に面した内壁面には、コイルばね９２の一側端を係合するばね係合突起７５が形成されている。
【００３２】
カード受け体７２は、摺動係合体７１のカード挿入奥側の端部から左側へ略直角に連設されてカード挿入スロット１９を横断するように形成され、そのカード挿入口側の内壁面には、挿入される第１のＩＣカード１００の先端の右肩部と係合する第１の係合部７６と、挿入される第２のＩＣカード２００の先端の右肩部と係合する第２の係合部７７が形成されている。
カード受け体７２のカード挿入口側の内壁面には、挿入される第１のＩＣカード１００の先端面との間に左側へ行くに従って漸増する隙間Ｇを形成するために、カード挿入奥側へ若干傾斜する傾斜部７８が形成されている。
カード受け体７２のカード挿入奥側には、第１のＩＣカード１００の挿入でスライダ７がカード挿入奥側へ摺動したときに、第１の端子群２〜２の接触部２２〜２２側の先端部を下方へ押し下げてカード挿入領域外へ押し出す端子押し出し部８１が形成されている。
カード受け体７２の上面には、カバー５の案内ばね５７、５７と摺動可能に係合する係合凹部７９、７９が形成されている。
【００３３】
摺動係合体７１のガイド溝７４と、一側端がガイド溝７４に摺動可能に係合し、他側端がハウジング１の係合凹部に係合するロックピン９１と、摺動係合体７１のばね係合突起７５とハウジング１のばね係合突起１７との間に圧縮状態で装着されたコイルばね９２とによってロック機構９が構成されている。
【００３４】
つぎに、図８を併用してＩＣカード用コネクタの組み立てについて説明する。  
合成樹脂成形によってハウジング１が形成され、このハウジング１の成形時に端子郡２〜２、３〜３、４がインサート成形によってハウジング１に組み込まれ、端子郡２〜２、３〜３、４の固定部がハウジング１のカード挿入奥側、カード挿入口側に固定される。
ついで、ハウジング１の案内凹部１３及びばね収容部１５にスライダ７の摺動係合体７１を係合し、スライダ７のばね係合突起７５とハウジング１のばね係合突起１７との間に圧縮状態でコイルばね９２を配設し、ロックピン９１の一側端をハウジング１の係合凹部１６に係合するとともに他側端をスライダ７のガイド溝７４に係合して図８に示すような組立体が形成される。
ついで、この組立体の上部からカバー５を被嵌し、下部左側板５３、右側板５５及び奥側板５６の係止孔６１〜６１にハウジング１の係止突起１８  〜１８を係止することによって組立が完了し、カバー５とハウジング１の間にカード挿入スロット１９が形成される。
【００３５】
つぎに、前記実施例の作用について図９を併用して説明する。
（１）初期状態（カード排出状態）
ＩＣカード１００、２００をカード挿入スロット１９に挿入する前の初期時と、プッシュ・アウト動作でカードのロックが解除されたカード排出時は図９（ａ）に示すような状態となる。  
すなわち、スライダ７のばね係合突起７５とハウジング１のばね係合突起１７との間に圧縮状態で配設されたコイルばね９２によってスライダ７がカード挿入口側に付勢されるとともに、摺動係合体７１のカード挿入口側の外壁面が案内凹部１３の内壁面に当接してスライダ７のカード挿入口側への摺動が規制されているので、ロックピン９１の一側端はスライダ７のガイド溝７４のＡ点に係合し、図９（ａ）の状態となっている。
この図９（ａ）の状態において、第１のＩＣカード１００をカード挿入スロット１９に挿入してその先端部をスライダ７の第１の係合部７６に係合した場合、ＩＣカード１００の突出長はＬ１１（例えば６．６ｍｍ）となり、第２のＩＣカード２００をカード挿入スロット１９に挿入してその先端部をスライダ７の第２の係合部７７に係合した場合、ＩＣカード２００の突出長はＬ２１（例えば７．９ｍｍ）となる。
また、図３に示すように、第１のＩＣカード１００のカード挿入スロット１９への挿入時には、第１のＩＣカード１００は、カバー５の上部左側板５２と案内片５８によって幅方向の移動が規制され、カバー５の天板５１と第２の端子群３〜３の接触部３２〜３２によって厚さ方向の移動が規制され、第２のＩＣカード２００は、カバー５の上部左側板５２及び下部左側板５３と案内片５８及びハウジング１の内壁面によって幅方向の移動が規制され、カバー５の天板５１と第２の端子群３〜３の接触部３２〜３２によって厚さ方向の移動が規制されている。このため、第１と第２のＩＣカード１００、２００を位置精度よく安定してカード挿入スロット１９内へ挿入することができる。
【００３６】
（２）カード押し込み状態
プッシュ・イン動作によってカードロック状態とするために、ＩＣカード１００、２００をカード挿入スロット１９内の奥まで挿入したときは、図９（ｂ）に示すようなカード押し込み状態となる。
すなわち、コイルばね９２の付勢力に抗してＩＣカード１００、２００をカード挿入スロット１９内の奥まで挿入すると、ＩＣカード１００、２００の先端部が係合部７６、７７に係合してスライダ７をカード挿入スロット１９内の奥まで押し込み、スライダ７のカード挿入奥側の壁面がハウジング１の第１本体１１の対応する内壁面に当接し、ロックピン９１の一側端がガイド溝７４内でハートカム７３の周囲を反時計回りに移動してＡ点からＢ点まで移動し、図９（ｂ）に示す状態となる。
このとき、スライダ７は、その摺動係合体７１がハウジング１の案内凹部１３に係合し、そのカード受け体７２の係合凹部７９、７９がカバー５の案内ばね５７、５７に係合しているので、カード挿入方向へ円滑に摺動する。この摺動時において、スライダ７の端子押し出し部８１が端子群２〜２の接触部２２〜２２側の先端部を下方へ押し下げて、カード挿入スロット１９内のＩＣカード１００の挿入領域（カード挿入領域）外へ押し出すので、ＩＣカード１００、２００の挿入で端子群２〜２の接触部２２〜２２が座屈することがない。
また、幅狭な第１のＩＣカード１００挿入時には以下の検出動作をしないが、幅広な第２のＩＣカード２００の挿入時にはＩＣカード２００で検出用端子４を押してその接触部４２がプリント配線基板上のランド（図示省略）に弾性接触し、基板上の電気回路などで第２のＩＣカード２００の挿入を検出している。
また、図９（ｂ）の状態において、第１のＩＣカード１００の突出長はＬ１２（例えば１．６ｍｍ）となり、第２のＩＣカード２００の突出長はＬ２２（例えば２．９ｍｍ）となる。
【００３７】
（３）カードロック状態
前記（２）のカード押し込み状態において、ＩＣカード１００、２００への押圧を解除すると、コイルばね９２の付勢力によってスライダ７がカード挿入口側へ押し戻され、ロックピン９１の一側端がガイド溝７４内でＢ点からＣ点に移動し、コイルばね９２によるスライダ７への付勢力とロックピン９１によるスライダ７への反対方向の力とが平衝し、図９（ｃ）に示すようなカードロック状態となる。
このとき、第１のＩＣカード１００の突出長はＬ１３（例えば２．６ｍｍ）となり、第２のＩＣカード２００突出長はＬ２３（例えば３．９ｍｍ）となり両者の差（Ｌ２３−Ｌ１３）（例えば１．３ｍｍ）は僅かとなる。
【００３８】
（４）カードロック解除
前記（３）のカードロック状態において、ＩＣカード１００、２００をカード挿入スロット１９内へ押し込むと、プッシュ・アウト動作によってカードロックが解除され、図９（ａ）に示すようなカード排出状態（初期状態）となる。
すなわち、図９（ｃ）のカードロック状態において、コイルばね９２の付勢力に抗してＩＣカード１００、２００をカード挿入スロット１９内の奥まで押し込むと、前記（２）と同様にスライダ７がカード挿入スロット１９内の奥まで押し込まれ、ロックピン９１の一側端がガイド溝７４内でハートカム７３の周囲を反時計回りに移動してＣ点からＤ点を経てＡ点に戻り、図９（ａ）に示すカード排出状態（初期状態）に戻る。
【００３９】
前記実施例では、挿入される第１のＩＣカードの先端部とスライダのカード受け体の内壁面との間に隙間を形成して第１のＩＣカードから受ける押圧力を摺動係合体との連結側（根元側）で受けるために、カード受け体に傾斜部を形成し、スライダの狭幅化を可能としてコネクタの小型化、薄型化を図ることができるようにしたが、本発明はこれに限るものでなく、カード受け体に傾斜部を形成せずに第１のＩＣカードから受ける押圧力をカード受け体の内壁面全体で受けるようにした場合についても利用することができる。
また、前記実施例では、スライダの構造を簡単にするために、スライダがカード挿入スロットの片側でハウジングと摺動可能に係合する摺動係合体を具備し、カード受け体が摺動係合体からカード挿入スロットを横断する方向へ突出する突出体の場合について説明したが、本発明はこれに限るものでなく、スライダがカード挿入スロットの両側でハウジングと摺動可能に係合する摺動係合体を具備し、カード受け体が両側の摺動係合体間を連結してカード挿入スロットを横断する連結体である場合についても利用することができる。
また、前記実施例では、カード受け体の構造を簡単にするために、カード受け体に端子群の接触部を遊嵌する逃げ孔や切欠きを形成しない場合について説明したが、本発明はこれに限るものでなく、端子群の「へたり」を防止するためにカード受け体に端子群の接触部を遊嵌する逃げ孔や切欠きを形成した場合についても利用することができる。
例えば、図１０、図１１又は図１２に示すような実施例についても利用することができる。
【００４０】
図１０に示す実施例では、スライダ７ａのカード受け体７２ａに、第２のＩＣカード２００のカード挿入スロット１９への挿入完了時に第１の端子群２〜２の接触部２２〜２２を遊嵌する逃げ孔８３〜８３を形成したので、第１の端子群２〜２の「へたり」を防止することができる。
図１１に示す実施例では、スライダ７ｂのカード受け体７２ｂに、第２のＩＣカード２００のカード挿入スロット１９への挿入完了時に第１の端子群２〜２の接触部を遊嵌する切欠き８５〜８５を形成したので、第１の端子群２〜２の「へたり」を防止することができる。
図１２に示す実施例では、スライダ７ｃがカード挿入スロットの両側でハウジングと摺動可能に係合する摺動係合体７１ｃ、７１ｃを具備し、カード受け体７２ｃが両側の摺動係合体７１ｃ、７１ｃ間を連結してカード挿入スロットを横断する連結体としたので、カード受け体７２ｃの狭幅化を図るとともに、コイルばねのばね定数を大きくする必要のある場合についても対応することができる。
【００４１】
前記実施例では、第１と第２のＩＣカード１００、２００の挿抜動作を容易かつ安定して行うために、プッシュ・インのときにロックし、プッシュ・アウトのときにロックを解除するロック機構を具備した場合について説明したが、本発明はこれに限るものでなく、ロック機構を省略した場合についても利用することができる。  
【００４２】
前記実施例では、ハウジングにカバーを被嵌してカード挿入スロットを形成した場合について説明したが、本発明はこれに限るものでなく、カバーを省略してハウジングにカード挿入スロットを形成した場合についても利用することができる。  
【図面の簡単な説明】
【００４３】
【図１】本発明によるＩＣカード用コネクタの一実施例を示すもので（ａ）は平面図、（ｂ）は正面図、（ｃ）は（ａ）の右側面図である。
【図２】図１の断面を示すもので、（ａ）は図１（ａ）のＡ−Ａ線拡大断面図、（ｂ）は図１（ａ）のＢ−Ｂ線拡大断面図、（ｃ）は図１（ａ）のＣーＣ線拡大断面図である。
【図３】図１（ａ）のＤ−Ｄ線拡大断面図ある。
【図４】一部の図示を簡略化、省略化した図１の概略分解斜視図である。
【図５】図１〜図４中のハウジング１を示すもので、（ａ）は平面図、（ｂ）は正面図、（ｃ）は（ａ）の右側面図である。
【図６】図１〜図４中のカバー５を示すもので、（ａ）は平面図、（ｂ）は正面図、（ｃ）は（ａ）の右側面図である。
【図７】図１〜図４中のスライダ７を示すもので、（ａ）は平面図、（ｂ）は正面図、（ｃ）は（ａ）の右側面図、（ｄ）は（ａ）のガイド溝７４の説明図である。
【図８】図１〜図３のＩＣカード用コネクタを組み立てるときの、ハウジング１にカバー５を遊嵌する直前の状態を示す平面図である。
【図９】ロック機構によるプッシュ・イン、プッシュ・アウト動作を説明するもので、（ａ）は初期状態（カード排出状態）の説明図、（ｂ）はカード押し込みの状態の説明図、（ｃ）はカードロック状態の説明図である。
【図１０】図１〜図４中のスライダ７の第２実施例（７ａ）を示す平面図である。
【図１１】図１〜図４中のスライダ７の第３実施例（７ｂ）を示す平面図である。
【図１２】図１〜図４中のスライダ７の第４実施例（７ｃ）を示す平面図である。
【図１３】第１のＩＣカード１００を示すもので、（ａ）は平面図、（ｂ）は正面図、（ｃ）は底面図である。
【図１４】第２のＩＣカードを示すもので、（ａ）は平面図、（ｂ）は正面図、（ｃ）は底面図である。
【符号の説明】
【００４４】
１…ハウジング
１３…案内凹部         
１５…ばね収容部
１６…係合孔
１７…ばね係合突起  
１９…カード挿入スロット          
２、３…端子      
２１、３１…端子２、３の固定部  
２２、３２…端子２、３の接触部
５…カバー  
５８…案内片
５９…ばね片
７、７ａ、７ｂ、７ｃ…スライダ
７１、７１ｃ…摺動係合体
７２、７２ａ、７２ｂ、７２ｃ…カード受け体  
７４…ガイド溝
７６ …第１の係合部
７７…第２の係合部
７８…傾斜部     
８１…端子押し出し部
８３…逃げ孔                
８５…切欠き           
９…ロック機構
９１…ロックピン        
９２…コイルばね
１００…第１のＩＣカード
１０１…ＩＣカード１００の接触パッド  
２００…第２のＩＣカード           
２０１…ＩＣカード２００の接触パッド              
Ｌ１…ＩＣカード１００の長さ              
Ｌ１３…ロック状態におけるＩＣカード１００の突出長  
Ｌ２…ＩＣカード２００の長さ
Ｌ２３…ロック状態におけるＩＣカード２００の突出長
【図１】
2008270109.tif 000003
【図２】
2008270109.tif 000004
【図３】
2008270109.tif 000005
【図４】
2008270109.tif 000006
【図５】
2008270109.tif 000007
【図６】
2008270109.tif 000008
【図７】
2008270109.tif 000009
【図８】
2008270109.tif 000010
【図９】
2008270109.tif 000011
【図１０】
2008270109.tif 000012
【図１１】
2008270109.tif 000013
【図１２】
2008270109.tif 000014
【図１３】
2008270109.tif 000015
【図１４】
2008270109.tif 000016